(57)【要約】【課題】装置の構成を簡易にするとともに、受信性能改善の効果を大きくすること。【解決手段】与干渉セル選択処理部１０６は、各セルの遅延スプレッドを測定するとともに、測定した遅延スプレッドに基づいて所定数の干渉セルを選択する。干渉除去受信処理部１０７は、与干渉セル選択処理部１０６により選択した所定数の干渉セルの干渉信号を、ＲＦ処理部１０２から入力したベースバンド信号から除去する。復調処理部１０８は、干渉除去受信処理部１０７により干渉信号を除去したベースバンド信号を復調する。【選択図】図１
2011259302.tif 000002
【特許請求の範囲】
【請求項１】
受信信号より各セルの遅延スプレッドを測定するとともに、前記遅延スプレッドに基づいて所定数の干渉セルを選択する選択手段と、
前記選択手段により選択した前記所定数の干渉セルの干渉信号を前記受信信号から除去する除去手段と、
前記除去手段により前記干渉信号を除去した前記受信信号を復調する復調手段と、
を具備する通信装置。
【請求項２】
前記選択手段は、前記遅延スプレッドの測定値の大きな順に前記所定数の干渉セルを選択する請求項１記載の通信装置。
【請求項３】
前記選択手段は、前記遅延スプレッドの測定に加えて、受信信号より各セルのトラヒックを推定するとともに、前記遅延スプレッドと前記トラヒックとに基づいて前記所定数の干渉セルを選択する請求項１記載の通信装置。
【請求項４】
前記復調手段は、各セルから送信された送信電力を下げることを指示する信号を取得し、
前記選択手段は、前記復調手段により取得した前記送信電力を下げることを指示する信号に基づいて前記トラヒックを推定する請求項３記載の通信装置。
【請求項５】
前記選択手段は、前記復調手段における前記送信電力を下げることを指示する信号の所定時間における取得回数が多いほど前記トラヒックが高いと推定して前記所定数の干渉セルを選択する請求項４記載の通信装置。
【請求項６】
前記選択手段は、前記遅延スプレッドの測定に加えて、受信信号より受信電力を測定するとともに、前記遅延スプレッドと前記受信電力とに基づいて所定数の前記干渉セルを選択する請求項１記載の通信装置。
【請求項７】
複数のセルからの信号を受信する通信装置における復調方法であって、
受信信号より各セルの遅延スプレッドを測定するとともに、前記遅延スプレッドに基づいて所定数の干渉セルを選択するステップと、
選択した前記所定数の干渉セルの干渉信号を前記受信信号から除去するステップと、
前記干渉信号を除去した前記受信信号を復調するステップと、
を具備する復調方法。
【発明の詳細な説明】
【技術分野】
【０００１】
本発明は、通信装置及び復調方法に関し、例えばＨＳＤＰＡ（High Speed Downlink Packet Access）方式の通信を行う際に干渉セルの干渉信号を除去する通信装置及び復調方法に関する。
【背景技術】
【０００２】
第３世代のセルラ移動体通信システムであるＷ−ＣＤＭＡ（Wideband Code Division Multiple Access）では、符号拡散変調を用いており、セルを構成する基地局装置あるいは基地局装置のセクタは、異なる拡散符号を用いて信号を送信する。
【０００３】
また、Ｗ−ＣＤＭＡでは、通信端末装置は、複数のセルと同時に通信を行う、ソフトハンドオーバを行うことができ、その際、複数の拡散符号によって受信信号を逆拡散し、信号を復調する。ここで、拡散符号はセル毎に異なるため、拡散符号によりセルを区別することができる。しかしながら、セルを区別する拡散符号は、完全には直交していないため、干渉が存在する。また、一般に、基地局と移動機との間の伝搬路はマルチパスを構成しており、それらのパス間においても干渉が生じる。従って、ソフトハンドオーバ状態で通信品質を改善するためには、セル間およびパス間の干渉を除去または低減することが望まれる。
【０００４】
また、Ｗ−ＣＤＭＡにおいて、基地局から移動機への下り方向の高速パケット伝送を行うＨＳＤＰＡの場合、ソフトハンドオーバ状態であっても、トラヒックチャネルであるＨＳ−ＳＣＣＨ（Shared Control Channel for HS-DSCH, HS-DSCH: High Speed Downlink Shared Channel）およびＨＳ−ＰＤＳＣＨ（High Speed Physical Downlink Shared Channel）を送信するセルは、ＨＳＤＰＡサービングセル（HSDPA serving cell）のみである。このため、ソフトハンドオーバを構成している、ＨＳＤＰＡサービングセル以外のセルであるＨＳＤＰＡノンサービングセル（HSDPA non-serving cell）は、ＨＳＤＰＡサービングセルの信号にとって干渉となる。従って、ＨＳＤＰＡの復調に際して、ＨＳＤＰＡノンサービングセルによる干渉を除去または低減することが望まれる。
【０００５】
また、従来、ＣＤＭＡにおいて、干渉を除去する通信システムが知られている（例えば、特許文献１）。また、従来、希望信号と干渉信号とを含んだ入力信号から干渉信号を除去するに際して、比較的大きいレベルを有する干渉信号のみを入力信号から除去する干渉信号除去装置が知られている（例えば、特許文献２）。
【先行技術文献】
【特許文献】
【０００６】
【特許文献１】特表２００９−５１８９７７号公報
【特許文献２】特開２００２−２７１２３４号公報
【発明の概要】
【発明が解決しようとする課題】
【０００７】
しかしながら、特許文献１においては、除去する干渉セルの数だけ干渉除去装置を具備しており、受信性能を改善するためには、受信機の構成が複雑になるとともに、消費電流が増加してしまうという問題がある。
【０００８】
また、特許文献２においては、ＨＳＤＰＡの復調性能は、干渉の電力だけでなく、主に遅延スプレッドにより示される遅延波の遅延量と遅延波の電力の大きさとに影響されるため（以下、「遅延広がり」と記載する）、充分な干渉除去ができないという問題がある。即ち、電力が同じ干渉であっても、遅延広がりが大きい干渉ほど、除去することにより受信性能改善の効果は大きい。一方、遅延広がりが小さい干渉は、Ｗ−ＣＤＭＡの場合は逆拡散により分離できるので、干渉除去による受信性能改善の効果は小さい。従って、特許文献２においては、遅延広がりが小さい干渉における干渉除去による受信性能改善の効果が小さいという問題がある。
【０００９】
本発明の目的は、装置の構成を簡易にすることができるとともに、受信性能改善の効果を大きくすることができる通信装置及び復調方法を提供することである。
【課題を解決するための手段】
【００１０】
本発明の通信装置は、受信信号より各セルの遅延スプレッドを測定するとともに、前記遅延スプレッドに基づいて所定数の干渉セルを選択する選択手段と、前記選択手段により選択した前記所定数の干渉セルの干渉信号を前記受信信号から除去する除去手段と、前記除去手段により前記干渉信号を除去した前記受信信号を復調する復調手段と、を具備する構成を採る。
【００１１】
本発明の復調方法は、複数のセルからの信号を受信する通信装置における復調方法であって、受信信号より各セルの遅延スプレッドを測定するとともに、前記遅延スプレッドに基づいて所定数の干渉セルを選択するステップと、選択した前記所定数の干渉セルの干渉信号を前記受信信号から除去するステップと、前記干渉信号を除去した前記受信信号を復調するステップと、を具備するようにした。
【発明の効果】
【００１２】
本発明によれば、装置の構成を簡易にすることができるとともに、受信性能改善の効果を大きくすることができる。
【図面の簡単な説明】
【００１３】
【図１】本発明の実施の形態１に係る通信装置の構成を示すブロック図
【図２】本発明の実施の形態１における与干渉セル選択処理部の構成を示すブロック図
【図３】本発明の実施の形態２に係る通信装置の構成を示すブロック図
【図４】本発明の実施の形態２における与干渉セル選択処理部の構成を示すブロック図
【図５】本発明の実施の形態３に係る通信装置の構成を示すブロック図
【図６】本発明の実施の形態３における与干渉セル選択処理部の構成を示すブロック図
【図７】本発明の実施の形態４における与干渉セル選択処理部の構成を示すブロック図
【発明を実施するための形態】
【００１４】
以下、本発明の実施の形態について、図面を参照して詳細に説明する。
【００１５】
（実施の形態１）
図１は、本発明の実施の形態１に係る通信装置１００の構成を示すブロック図である。通信装置１００は、例えば携帯電話等の通信端末装置である。
【００１６】
通信装置１００は、アンテナ１０１と、ＲＦ処理部１０２と、セルサーチ処理部１０３と、ＨＳＤＰＡサービングセル受信制御部１０４と、パスサーチ処理部１０５と、与干渉セル選択処理部１０６と、干渉除去受信処理部１０７と、復調処理部１０８とから主に構成される。以下に、各構成について、詳細に説明する。
【００１７】
アンテナ１０１は、信号を受信してＲＦ処理部１０２へ出力する。
【００１８】
ＲＦ処理部１０２は、アンテナ１０１から入力した信号を、無線信号からベースバンド信号に変換してセルサーチ処理部１０３、パスサーチ処理部１０５及び干渉除去受信処理部１０７へ出力する。
【００１９】
セルサーチ処理部１０３は、ＲＦ処理部１０２から入力したベースバンド信号に基づいて、通信装置１００の周辺のセルの探索を行う。具体的には、セルサーチ処理部１０３は、通信装置１００の周辺のセルの受信タイミング及びスクランブリングコードの同定を行う。また、セルサーチ処理部１０３は、周辺のセルの探索結果をセル情報信号としてＨＳＤＰＡサービングセル受信制御部１０４へ出力する。
【００２０】
ＨＳＤＰＡサービングセル受信制御部１０４は、セルサーチ処理部１０３から入力したセル情報信号により特定される周辺のセルについて、ＨＳＤＰＡサービングセルおよびＨＳＤＰＡノンサービングセルの選択を行う。また、ＨＳＤＰＡサービングセル受信制御部１０４は、選択したＨＳＤＰＡサービングセル及びＨＳＤＰＡノンサービングセルの情報をパスサーチ処理部１０５及び与干渉セル選択処理部１０６へ出力する。
【００２１】
パスサーチ処理部１０５は、ＨＳＤＰＡサービングセル受信制御部１０４から入力したＨＳＤＰＡサービングセル及びＨＳＤＰＡノンサービングセルの情報により特定される周辺のセルについて、ＲＦ処理部１０２から入力したベースバンド信号より遅延プロファイルを生成する。また、パスサーチ処理部１０５は、生成した遅延プロファイルを用いて、周辺のセルのパスタイミングの探索を行う。また、パスサーチ処理部１０５は、パスタイミングの探索結果をパス情報信号として復調処理部１０８へ出力する。また、パスサーチ処理部１０５は、生成した遅延プロファイルの遅延プロファイル情報を与干渉セル選択処理部１０６へ出力する。
【００２２】
与干渉セル選択処理部１０６は、ＨＳＤＰＡサービングセル受信制御部１０４から入力したＨＳＤＰＡサービングセル及びＨＳＤＰＡノンサービングセルの情報及びパスサーチ処理部１０５から入力した遅延プロファイル情報に基づいて、干渉となるセル（以下「与干渉セル」と記載する）を選択する。また、与干渉セル選択処理部１０６は、選択した与干渉セルの与干渉セル情報を干渉除去受信処理部１０７へ出力する。なお、与干渉セル選択処理部１０６の構成の詳細については後述する。
【００２３】
干渉除去受信処理部１０７は、与干渉セル選択処理部１０６から入力した与干渉セル情報の与干渉セルの干渉信号を、ＲＦ処理部１０２から入力したベースバンド信号から除去する。また、干渉除去受信処理部１０７は、与干渉セルの干渉信号を除去した受信信号を復調処理部１０８へ出力する。
【００２４】
復調処理部１０８は、パスサーチ処理部１０５から入力したパス情報信号のパスタイミングで、干渉除去受信処理部１０７から入力した受信信号を復調する。また、復調処理部１０８は、復調後の受信信号を受信データとして出力する。
【００２５】
次に、与干渉セル選択処理部１０６の構成について、図２を用いて説明する。図２は、与干渉セル選択処理部１０６の構成を示すブロック図である。
【００２６】
与干渉セル選択処理部１０６は、遅延スプレッド推定処理部２０１及びセル選択処理部２０２から主に構成される。
【００２７】
遅延スプレッド推定処理部２０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部１０５から入力した遅延プロファイル情報に基づいて遅延スプレッドをセル毎に推定する。遅延スプレッド推定処理部２０１は、例えば、（１）式により遅延スプレッドを推定する。
【数１】
2011259302.tif 000003
【００２８】
また、遅延スプレッド推定処理部２０１は、（１）式の平均電力遅延プロファイルを（２）式より求める。
【数２】
2011259302.tif 000004
【００２９】
また、遅延スプレッド推定処理部２０１は、平均遅延時間を（３）式より求める。
【数３】
2011259302.tif 000005
【００３０】
また、遅延スプレッド推定処理部２０１は、推定した遅延スプレッドの推定値をセル選択処理部２０２へ出力する。
【００３１】
セル選択処理部２０２は、遅延スプレッド推定処理部２０１から入力した遅延スプレッドの推定値のうち、推定値の大きな順に所定数のセルを選択し、選択したセルを与干渉セル情報として干渉除去受信処理部１０７へ出力する。この際、セル選択処理部２０２は、与干渉セルとして選択するセル数を、干渉除去受信処理部１０７の干渉除去方式に応じて設定することができる。すなわち、セル選択処理部２０２は、干渉除去受信処理部１０７が１つの与干渉セルの信号のみを除去する能力がある場合は与干渉セルを１つ選択し、干渉除去受信処理部１０７が２つの与干渉セルの信号を除去する能力がある場合は与干渉セルを２つ選択する。
【００３２】
このように、本実施の形態によれば、遅延スプレッドに基づいて干渉の大きな与干渉セルの干渉信号を除去するので、受信性能改善の効果を大きくすることができる。また、本実施の形態によれば、与干渉セル毎に干渉除去装置を設けないので、装置の構成を簡易にすることができる。また、本実施の形態によれば、与干渉セルの受信電力を測定する必要がないので、装置の構成を簡易にすることができる。
【００３３】
（実施の形態２）
図３は、本発明の実施の形態２に係る通信装置３００の構成を示すブロック図である。通信装置３００は、例えば携帯電話等の通信端末装置である。
【００３４】
図３に示す通信装置３００は、図１に示す実施の形態１に係る通信装置１００に対して、ＲＦ処理部１０２に代えてＲＦ処理部３０１を有し、パスサーチ処理部１０５に代えてパスサーチ処理部３０２を有し、与干渉セル選択処理部１０６に代えて与干渉セル選択処理部３０３を有する。なお、図３において、図１と同一構成である部分には同一の符号を付してその説明を省略する。
【００３５】
通信装置３００は、アンテナ１０１と、セルサーチ処理部１０３と、ＨＳＤＰＡサービングセル受信制御部１０４と、干渉除去受信処理部１０７と、復調処理部１０８と、ＲＦ処理部３０１と、パスサーチ処理部３０２と、与干渉セル選択処理部３０３とから主に構成される。以下に、各構成について、詳細に説明する。以下に、上記の実施の形態１と異なる構成について、詳細に説明する。
【００３６】
アンテナ１０１は、信号を受信してＲＦ処理部３０１へ出力する。
【００３７】
ＲＦ処理部３０１は、アンテナ１０１から入力した信号を、無線信号からベースバンド信号に変換してセルサーチ処理部１０３、パスサーチ処理部３０２、与干渉セル選択処理部３０３及び干渉除去受信処理部１０７へ出力する。
【００３８】
セルサーチ処理部１０３は、ＲＦ処理部３０１から入力したベースバンド信号に基づいて、通信装置３００の周辺のセルの探索を行う。具体的には、セルサーチ処理部１０３は、通信装置３００の周辺のセルの受信タイミング及びスクランブリングコードの同定を行う。また、セルサーチ処理部１０３は、周辺のセルの探索結果をセル情報信号としてＨＳＤＰＡサービングセル受信制御部１０４へ出力する。
【００３９】
ＨＳＤＰＡサービングセル受信制御部１０４は、セルサーチ処理部１０３から入力したセル情報信号により特定される周辺のセルについて、ＨＳＤＰＡサービングセル及びＨＳＤＰＡノンサービングセルの選択を行う。また、ＨＳＤＰＡサービングセル受信制御部１０４は、選択したＨＳＤＰＡサービングセル及びＨＳＤＰＡノンサービングセルの情報をパスサーチ処理部３０２及び与干渉セル選択処理部３０３へ出力する。
【００４０】
パスサーチ処理部３０２は、ＨＳＤＰＡサービングセル受信制御部１０４から入力したＨＳＤＰＡサービングセル及びＨＳＤＰＡノンサービングセルの情報により特定される周辺のセルについて、ＲＦ処理部３０１から入力したベースバンド信号より遅延プロファイルを生成する。また、パスサーチ処理部３０２は、生成した遅延プロファイルを用いて、周辺のセルのパスタイミングの探索を行う。また、パスサーチ処理部３０２は、パスタイミングの探索結果をパス情報信号として復調処理部１０８及び与干渉セル選択処理部３０３へ出力する。また、パスサーチ処理部３０２は、生成した遅延プロファイルの遅延プロファイル情報を与干渉セル選択処理部３０３へ出力する。
【００４１】
与干渉セル選択処理部３０３は、ＲＦ処理部３０１から入力したベースバンド信号と、ＨＳＤＰＡサービングセル受信制御部１０４から入力したＨＳＤＰＡサービングセル及びＨＳＤＰＡノンサービングセルの情報と、パスサーチ処理部３０２から入力した遅延プロファイル情報及びパス情報信号とに基づいて、与干渉セルを選択する。また、与干渉セル選択処理部３０３は、選択した与干渉セルの与干渉セル情報を干渉除去受信処理部１０７へ出力する。なお、与干渉セル選択処理部３０３の構成の詳細については後述する。
【００４２】
干渉除去受信処理部１０７は、与干渉セル選択処理部３０３から入力した与干渉セル情報の与干渉セルの干渉信号を、ＲＦ処理部３０１から入力したベースバンド信号から除去する。また、干渉除去受信処理部１０７は、与干渉セルの干渉信号を除去した受信信号を復調処理部１０８へ出力する。
【００４３】
復調処理部１０８は、パスサーチ処理部３０２から入力したパス情報信号に基づいて、干渉除去受信処理部１０７から入力した受信信号を復調する。また、復調処理部１０８は、復調後の受信信号を受信データとして出力する。
【００４４】
次に、与干渉セル選択処理部３０３の構成について、図４を用いて説明する。図４は、与干渉セル選択処理部３０３の構成を示すブロック図である。
【００４５】
図４に示す与干渉セル選択処理部３０３は、図２に示す実施の形態１に係る与干渉セル選択処理部１０６に対して、受信電力計測処理部４０１を追加し、セル選択処理部２０２の代わりにセル選択処理部４０２を有する。なお、図４において、図２と同一構成である部分には同一の符号を付してその説明を省略する。
【００４６】
与干渉セル選択処理部３０３は、遅延スプレッド推定処理部２０１と、受信電力計測処理部４０１と、セル選択処理部４０２とから主に構成される。
【００４７】
遅延スプレッド推定処理部２０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部３０２から入力した遅延プロファイル情報に基づいて遅延スプレッドをセル毎に推定する。遅延スプレッド推定処理部２０１は、例えば、（１）式により遅延スプレッドを推定する。また、遅延スプレッド推定処理部２０１は、例えば、（２）式より平均電力遅延プロファイルを求めるとともに、（３）式より平均遅延時間を求める。また、遅延スプレッド推定処理部２０１は、推定した遅延スプレッドの推定値をセル選択処理部４０２へ出力する。
【００４８】
受信電力計測処理部４０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部３０２から入力したパス情報信号のパスタイミングで、ＲＦ処理部３０１から入力したベースバンド信号より受信電力を測定する。受信電力計測処理部４０１は、受信電力として例えばＣＰＩＣＨ  ＲＳＣＰまたはＥｃ／Ｉ０を測定する。また、受信電力計測処理部４０１は、測定した受信電力の測定値をセル選択処理部４０２へ出力する。なお、受信電力は、ＲＳＣＰまたはＥｃ／Ｉ０を測定する場合に限らず、受信電力を示す任意の値を測定することができる。
【００４９】
セル選択処理部４０２は、遅延スプレッド推定処理部２０１から入力したＨＳＤＰＡノンサービングセルの遅延スプレッドの推定値及び受信電力計測処理部４０１から入力した受信電力の測定値に基づいて、セルを選択する。例えば、セル選択処理部４０２は、遅延スプレッドの推定値と受信電力の測定値との各々において、値の大きい順にセルに対して各々順位をつけ、これらの２種類の順位の合計値をセル毎に算出する。また、セル選択処理部４０２は、算出した合計値が閾値より小さいセルを選択する。また、セル選択処理部４０２は、選択したセルを与干渉セル情報として干渉除去受信処理部１０７へ出力する。この際、セル選択処理部４０２は、与干渉セルとして選択するセル数を、干渉除去受信処理部１０７の干渉除去方式に応じて設定することができる。すなわち、セル選択処理部４０２は、干渉除去受信処理部１０７が１つの与干渉セルの信号のみを除去する能力がある場合は与干渉セルを１つ選択し、干渉除去受信処理部１０７が２つの与干渉セルの信号を除去する能力がある場合は与干渉セルを２つ選択する。
【００５０】
なお、セル選択方法としては、遅延スプレッドの推定値と受信電力の測定値との各々に重みを乗算した上で加算し、その合計値が大きいセルを選択する方法を用いてもよい。また、セル選択方法としては、遅延スプレッドの推定値と受信電力の測定値の各々を、セル間で正規化し、正規化した遅延スプレッドと受信電力との合計値が大きいセルを選択する方法を用いてもよい。また、正規化した遅延スプレッドと受信電力との合計値を所定の閾値と比較し、正規化した遅延スプレッドと受信電力との合計値が閾値より大きいセルを選択する方法を用いてもよい。
【００５１】
このように、本実施の形態によれば、遅延スプレッドに基づいて干渉の大きな与干渉セルの干渉信号を除去するので、受信性能改善の効果を大きくすることができる。また、本実施の形態によれば、受信電力の変動に応じて適応的に与干渉セルの干渉信号を除去するので、受信性能改善の効果を大きくすることができる。また、本実施の形態によれば、与干渉セル毎に干渉除去装置を設けないので、装置の構成を簡易にすることができる。
【００５２】
（実施の形態３）
図５は、本発明の実施の形態３に係る通信装置５００の構成を示すブロック図である。通信装置５００は、例えば携帯電話等の通信端末装置である。
【００５３】
図５に示す通信装置５００は、図１に示す実施の形態１に係る通信装置１００に対して、ＲＦ処理部１０２の代わりにＲＦ処理部５０１を有し、与干渉セル選択処理部１０６の代わりに与干渉セル選択処理部５０２を有し、復調処理部１０８の代わりに復調処理部５０３を有する。なお、図５において、図１と同一構成である部分には同一の符号を付してその説明を省略する。
【００５４】
通信装置５００は、アンテナ１０１と、セルサーチ処理部１０３と、ＨＳＤＰＡサービングセル受信制御部１０４と、パスサーチ処理部１０５と、干渉除去受信処理部１０７と、ＲＦ処理部５０１と、与干渉セル選択処理部５０２と、復調処理部５０３とから主に構成される。以下に、上記の実施の形態１と異なる各構成について、詳細に説明する。
【００５５】
アンテナ１０１は、信号を受信してＲＦ処理部５０１へ出力する。
【００５６】
ＲＦ処理部５０１は、アンテナ１０１から入力した信号を、無線信号からベースバンド信号に変換してセルサーチ処理部１０３、パスサーチ処理部１０５及び干渉除去受信処理部５０２へ出力する。
【００５７】
セルサーチ処理部１０３は、ＲＦ処理部５０１から入力したベースバンド信号に基づいて、通信装置５００の周辺のセルの探索を行う。具体的には、セルサーチ処理部１０３は、通信装置５００の周辺のセルの受信タイミング及びスクランブリングコードの同定を行う。また、セルサーチ処理部１０３は、周辺のセルの探索結果をセル情報信号としてＨＳＤＰＡサービングセル受信制御部１０４へ出力する。
【００５８】
ＨＳＤＰＡサービングセル受信制御部１０４は、セルサーチ処理部１０３から入力したセル情報信号により特定される周辺のセルについて、ＨＳＤＰＡサービングセル及びＨＳＤＰＡノンサービングセルの選択を行う。また、ＨＳＤＰＡサービングセル受信制御部１０４は、選択したＨＳＤＰＡサービングセル及びＨＳＤＰＡノンサービングセルの情報をパスサーチ処理部１０５及び与干渉セル選択処理部５０２へ出力する。
【００５９】
パスサーチ処理部１０５は、ＨＳＤＰＡサービングセル受信制御部１０４から入力したＨＳＤＰＡサービングセル及びＨＳＤＰＡノンサービングセルの情報により特定される周辺のセルについて、ＲＦ処理部５０１から入力したベースバンド信号より遅延プロファイルを生成する。また、パスサーチ処理部１０５は、生成した遅延プロファイルを用いて、周辺のセルのパスタイミングの探索を行う。また、パスサーチ処理部１０５は、パスタイミングの探索結果をパス情報信号として与干渉セル選択処理部５０２及び復調処理部５０３へ出力する。また、パスサーチ処理部１０５は、生成した遅延プロファイルの遅延プロファイル情報を与干渉セル選択処理部５０２へ出力する。
【００６０】
与干渉セル選択処理部５０２は、ＨＳＤＰＡサービングセル受信制御部１０４から入力したＨＳＤＰＡサービングセル及びＨＳＤＰＡノンサービングセルの情報と、パスサーチ処理部１０５から入力した遅延プロファイル情報と、復調処理部５０３から入力した復調後の受信データとに基づいて、与干渉セルを選択する。また、与干渉セル選択処理部５０２は、選択した与干渉セルの与干渉セル情報を干渉除去受信処理部１０７へ出力する。なお、与干渉セル選択処理部５０２の構成の詳細については後述する。
【００６１】
干渉除去受信処理部１０７は、与干渉セル選択処理部５０２から入力した与干渉セル情報の与干渉セルの干渉信号を、ＲＦ処理部５０１から入力したベースバンド信号から除去する。また、干渉除去受信処理部１０７は、与干渉セルの干渉信号を除去した受信信号を復調処理部５０３へ出力する。
【００６２】
復調処理部５０３は、パスサーチ処理部１０５から入力したパス情報信号のパスタイミングで、干渉除去受信処理部１０７から入力した受信信号を復調する。また、復調処理部５０３は、復調後の受信信号を受信データとして出力する。また、復調処理部５０３は、復調後の受信信号を受信データとして与干渉セル選択処理部５０２へ出力する。
【００６３】
次に、与干渉セル選択処理部５０２の構成について、図６を用いて説明する。図６は、与干渉セル選択処理部５０２の構成を示すブロック図である。
【００６４】
図６に示す与干渉セル選択処理部５０２は、図２に示す実施の形態１に係る与干渉セル選択処理部１０６に対して、受信電力計測処理部６０１及びトラヒック推定処理部６０２を追加し、セル選択処理部２０２の代わりにセル選択処理部６０３を有する。なお、図６において、図２と同一構成である部分には同一の符号を付してその説明を省略する。
【００６５】
与干渉セル選択処理部５０２は、遅延スプレッド推定処理部２０１と、受信電力計測処理部６０１と、トラヒック推定処理部６０２と、セル選択処理部６０３とから主に構成される。以下に、各構成について、詳細に説明する。
【００６６】
遅延スプレッド推定処理部２０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部３０２から入力した遅延プロファイル情報に基づいて遅延スプレッドをセル毎に推定する。遅延スプレッド推定処理部２０１は、例えば、（１）式により遅延スプレッドを推定する。また、遅延スプレッド推定処理部２０１は、例えば、（２）式より平均電力遅延プロファイルを求めるとともに、（３）式より平均遅延時間を求める。また、遅延スプレッド推定処理部２０１は、推定した遅延スプレッドの推定値をセル選択処理部６０３へ出力する。
【００６７】
受信電力計測処理部６０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部１０５から入力したパス情報信号のパスタイミングで、ＲＦ処理部５０１から入力したベースバンド信号より受信電力を測定する。受信電力計測処理部６０１は、受信電力として例えばＲＳＣＰまたはＥｃ／Ｉ０を測定する。また、受信電力計測処理部６０１は、測定した受信電力の測定値をセル選択処理部６０３へ出力する。なお、受信電力は、ＲＳＣＰまたはＥｃ／Ｉ０を測定する場合に限らず、受信電力を示す任意の値を測定することができる。
【００６８】
トラヒック推定処理部６０２は、ＨＳＤＰＡサービングセル受信制御部１０４から入力したＨＳＤＰＡサービングセル及びＨＳＤＰＡノンサービングセルの情報より、ＨＳＤＰＡノンサービングセルのサブセットであるＨＳＵＰＡ(High Speed Uplink Packet Access)ノンサービングセル（HSUPA non-serving cell）の各セルのトラヒック（通信量）を推定する。具体的には、トラヒック推定処理部６０２は、復調処理部５０３から入力した各セルのＥ−ＲＧＣＨ（Enhanced Relative Grant Channel）の復調後の受信データを比較し、相対的にｄｏｗｎ信号が多いセルを、トラヒックが高いと推定する。トラヒック推定処理部６０２は、例えば、所定の観測期間（例えば１００ｍｓ）を設定し、設定した観測期間内のＥ−ＲＧＣＨの復調後の受信データをセル毎に累積する。また、トラヒック推定処理部６０２は、観測期間終了後、ｄｏｗｎ信号の多いセルを与干渉セルとして選択する。この際、トラヒック推定処理部６０２は、ＨＳＵＰＡノンサービングセルのＥ−ＲＧＣＨには、ｄｏｗｎとＨＯＬＤ（未検出）の２種類があり、ｄｏｗｎ信号を検出した回数を累積する。また、トラヒック推定処理部６０２は、所定の観測期間内のｄｏｗｎ信号とＨＯＬＤ信号との比をセル毎に計測し、計測した比が最大のセルを与干渉セルとして選択してもよい。この方法によれば、観測期間内においてハンドオーバによって追加されたセルも公平に判定することができ、与干渉セルの選択の精度をより高めることができる。また、トラヒック推定処理部６０２は、推定したトラヒックの推定結果（例えば、観測期間内に受信したｄｏｗｎ信号の数）をセル選択処理部６０３へ出力する。ここで、ＨＳＵＰＡとは、通信端末装置から基地局への上りリンクの高速パケット伝送を行う通信方式である。また、Ｅ−ＲＧＣＨとは、ＨＳＵＰＡノンサービングセルが、ＨＳＵＰＡにおいて上りリンクの受信の干渉となっている通信端末装置に対して、送信電力または伝送レートを下げるように要求するｄｏｗｎ信号を送信するチャネルである。
【００６９】
セル選択処理部６０３は、遅延スプレッド推定処理部２０１から入力したＨＳＤＰＡノンサービングセルの遅延スプレッドの推定値と、受信電力計測処理部６０１から入力した受信電力の測定値と、トラヒック推定処理部６０２から入力したトラヒックの推定結果とに基づいて、与干渉セルを選択する。セル選択処理部６０３は、例えば、遅延スプレッドの推定値と、受信電力の測定値と、トラヒックの推定結果との各々において、値の大きい順にセルに対して各々順位をつけ、これらの３種類の順位の合計値をセル毎に算出する。また、セル選択処理部６０３は、算出した合計値が閾値より小さいセルを選択する。また、ＨＳＵＰＡノンサービングセルでないＨＳＤＰＡノンサービングセルについては、基地局から通信装置５００に対してｄｏｗｎ信号を送信しないため、トラヒックの推定はできない。従って、セル選択処理部６０３は、ＨＳＵＰＡノンサービングセルの上記の推定値、測定値及び推定結果を、ＨＳＤＰＡノンサービングセルよりも大きな値になり、順位が上位になるように、ＨＳＤＰＡノンサービングセルまたはＨＳＵＰＡノンサービングセルの上記の推定値、測定値及び推定結果に重み付けしてもよい。また、セル選択処理部６０３は、与干渉セルとして選択するセル数を、干渉除去受信処理部１０７の干渉除去方式に応じて設定することができる。すなわち、セル選択処理部６０３は、干渉除去受信処理部１０７が１つの与干渉セルの信号のみを除去する能力がある場合は与干渉セルを１つ選択し、干渉除去受信処理部１０７が２つの与干渉セルの信号を除去する能力がある場合は与干渉セルを２つ選択する。
【００７０】
ここで、トラヒック推定処理部６０２において、相対的にｄｏｗｎ信号が多いセルを、トラヒックが高いと推定する理由を説明する。
【００７１】
通信端末装置は、下りリンクのＥ−ＲＧＣＨにおいてｄｏｗｎ信号を自分宛に送信してくるセルは、自分の上りリンクの高速パケット伝送が干渉となっており、他の通信端末装置における通信が影響を受けていると推測できる。この場合、ｄｏｗｎ信号を受信した通信端末装置は、送信電力または伝送レートを下げてでも確保したいトラヒックが他にあると推測できる。従って、Ｅ−ＲＧＣＨにおいて多くのｄｏｗｎ信号を送信するセルは、トラヒックが高いと推定することができる。
【００７２】
因みに、干渉の受信電力は時間的な平均により測定するが、ＨＳＤＰＡのようなバースト伝送においては、トラヒックによっては、時間的な平均により干渉電力は小さく測定されてしまう可能性がある。従って、干渉電力のみを用いて干渉を除去すると、バースト伝送において充分な干渉除去ができないという課題がある。
【００７３】
このように、本実施の形態によれば、遅延スプレッドに基づいて干渉の大きな与干渉セルの干渉信号を除去するので、受信性能改善の効果を大きくすることができる。また、受信電力の変動に応じて適応的に与干渉セルの干渉信号を除去するので、受信性能改善の効果を大きくすることができる。また、本実施の形態によれば、与干渉セル毎に干渉除去装置を設けないので、装置の構成を簡易にすることができる。また、本実施の形態によれば、トラヒックに基づいて干渉の大きな与干渉セルの干渉信号を除去するので、ＨＳＤＰＡのようなバースト伝送において、確実に干渉除去を行うことができる。
【００７４】
なお、本実施の形態において、遅延スプレッドの推定値、受信電力の測定値及びトラヒックの推定結果の３種類のパラメータを同時に用いて与干渉セルを選択するが、本発明はこれに限らず、通信装置の構成または消費電流に応じて、上記の３種類のパラメータを選択してもよい。すなわち、遅延スプレッドの推定値及びトラヒックの推定結果の２種類を用いてもよいし、トラヒックの推定結果のみを用いてもよい。
【００７５】
（実施の形態４）
図７は、本発明の実施の形態４に係る与干渉セル選択処理部７００の構成を示すブロック図である。
【００７６】
図７に示す与干渉セル選択処理部７００は、図６に示す実施の形態３に係る与干渉セル選択処理部５０２に対して、セル選択数設定部７０１を追加し、セル選択処理部６０３の代わりにセル選択処理部７０２を有する。なお、図７において、図６と同一構成である部分には同一の符号を付してその説明を省略する。また、本実施の形態において、通信装置の構成は図５と同一構成であるので、その説明を省略する。
【００７７】
与干渉セル選択処理部７００は、遅延スプレッド推定処理部２０１と、受信電力計測処理部６０１と、トラヒック推定処理部６０２と、セル選択数設定部７０１と、セル選択処理部７０２とから主に構成される。以下に、各構成について、詳細に説明する。
【００７８】
遅延スプレッド推定処理部２０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部１０５から入力した遅延プロファイル情報に基づいて遅延スプレッドをセル毎に推定する。遅延スプレッド推定処理部２０１は、例えば、（１）式により遅延スプレッドを推定する。また、遅延スプレッド推定処理部２０１は、例えば、（２）式より平均電力遅延プロファイルを求めるとともに、（３）式より平均遅延時間を求める。また、遅延スプレッド推定処理部２０１は、推定した遅延スプレッドの推定値をセル選択数設定部７０１及びセル選択処理部７０２へ出力する。
【００７９】
受信電力計測処理部６０１は、ＨＳＤＰＡサービングセル受信制御部１０４から入力したＨＳＤＰＡサービングセル及びＨＳＤＰＡノンサービングセルの情報により特定される周辺のセルについて、パスサーチ処理部１０５から入力したパス情報信号のパスタイミングで、ＲＦ処理部５０１から入力したベースバンド信号より受信電力を測定する。受信電力計測処理部６０１は、受信電力として例えばＲＳＣＰまたはＥｃ／Ｉ０を測定する。また、受信電力計測処理部６０１は、測定した受信電力の測定値をセル選択数設定部７０１及びセル選択処理部７０２へ出力する。なお、受信電力は、ＲＳＣＰまたはＥｃ／Ｉ０を測定する場合に限らず、受信電力を示す任意の値を測定することができる。
【００８０】
トラヒック推定処理部６０２は、ＨＳＤＰＡサービングセル受信制御部１０４から入力したＨＳＤＰＡサービングセル及びＨＳＤＰＡノンサービングセルの情報より、ＨＳＤＰＡノンサービングセルのサブセットであるＨＳＵＰＡノンサービングセルの各セルのトラヒックを推定する。具体的には、トラヒック推定処理部６０２は、復調処理部５０３から入力した各セルのＥ−ＲＧＣＨの復調後の受信データを比較し、相対的にｄｏｗｎ信号が多いセルを、トラヒックが高いと推定する。トラヒック推定処理部６０２は、例えば、所定の観測期間（例えば１００ｍｓ）を設定し、設定した観測期間内のＥ−ＲＧＣＨの復調後の受信データをセル毎に累積する。また、トラヒック推定処理部６０２は、観測期間終了後、ｄｏｗｎ信号の多いセルを与干渉セルとして選択する。この際、トラヒック推定処理部６０２は、ＨＳＵＰＡノンサービングセルのＥ−ＲＧＣＨには、ｄｏｗｎとＨＯＬＤ（未検出）の２種類があり、ｄｏｗｎ信号を検出した回数を累積する。また、トラヒック推定処理部６０２は、所定の観測期間内のｄｏｗｎ信号とＨＯＬＤ信号との比をセル毎に計測し、計測した比が最大のセルを与干渉セルとして選択してもよい。この方法によれば、観測期間内においてハンドオーバによって追加されたセルも公平に判定することができ、与干渉セルの選択の精度をより高めることができる。また、トラヒック推定処理部６０２は、推定したトラヒックの推定結果（例えば、観測期間内に受信したｄｏｗｎ信号の数）をセル選択数設定部７０１及びセル選択処理部７０２へ出力する。
【００８１】
セル選択数設定部７０１は、遅延スプレッド推定処理部２０１から入力した遅延スプレッドの推定値と、受信電力計測処理部６０１から入力した受信電力の測定値と、トラヒック推定処理部６０２から入力したトラフィックの推定結果とに基づいて、選択する与干渉セルの数を設定する。具体的には、セル選択数設定部７０１は、遅延スプレッド推定処理部２０１から入力した遅延スプレッドの推定値、受信電力計測処理部６０１から入力した受信電力の測定値、及びトラヒック推定処理部６０２から入力したトラフィックの推定結果と、各々の所定の閾値とを比較し、比較結果に応じて与干渉セルの選択数を設定する。また、セル選択数設定部７０１は、設定した選択数の与干渉セルを選択するようにセル選択処理部７０２に通知する。例えば、セル選択数設定部７０１は、遅延スプレッドの推定値、受信電力の測定値及びトラヒックの推定結果の各値の何れもが所定の閾値を越えないセルを、与干渉セルとして選択しないようにする。これは、各値の何れも所定の閾値を超えないセルを、与干渉セルとして選択した場合、受信性能の劣化を招く可能性があるからである。従って、与干渉の程度に応じて選択する与干渉セル数を可変とすることで、受信信号品質の向上に加えて、受信信号品質の劣化の可能性を排除できる。なお、与干渉セルの選択数の設定方法については、後述する。
【００８２】
セル選択処理部７０２は、遅延スプレッド推定処理部２０１から入力した遅延スプレッドの推定値と、受信電力計測処理部６０１から入力した受信電力の測定値と、トラヒック推定処理部６０２から入力したトラヒックの推定結果とに基づいて、与干渉セルを選択する。この際、セル選択処理部７０２は、セル選択数設定部７０１により設定した選択数の与干渉セルを選択する。セル選択処理部７０２は、例えば、遅延スプレッドの推定値と、受信電力の測定値と、トラヒックの推定結果との３種類の順位の合計値をセル毎に算出する。また、セル選択処理部７０２は、算出した合計値が閾値より小さいセルを選択する。また、ＨＳＵＰＡノンサービングセルでないＨＳＤＰＡノンサービングセルについては、基地局から通信端末装置に対してｄｏｗｎ信号を送信しないため、トラヒックの推定はできない。従って、セル選択処理部７０２は、ＨＳＵＰＡノンサービングセルの上記の推定値、測定値及び推定結果を、ＨＳＤＰＡノンサービングセルよりも大きな値になり、順位が上位になるように、ＨＳＤＰＡノンサービングセルまたはＨＳＵＰＡノンサービングセルの上記の推定値、測定値及び推定結果に重み付けしてもよい。
【００８３】
なお、上記の推定値、測定値及び推定結果の合計方法としては、各値に重みを乗算した上で加算する方法を用いてもよい。また、上記の推定値、測定値及び推定結果の合計方法としては、各値の各々をセル間で正規化し、正規化した各値を合計する方法を用いてもよい。
【００８４】
以上で、与干渉セル選択処理部７００の構成の説明を終える。
【００８５】
次に、与干渉セルの選択数の設定方法について説明する。
【００８６】
セル選択数設定部７０１は、ＨＳＤＰＡサービングセルの上記合計値から、ａ［ｄＢ］（ａは任意の正数）低い値を第１閾値として設定する。また、セル選択数設定部７０１は、ＨＳＤＰＡノンサービングセルの上記合計値のうち、最も小さい値からｂ［ｄＢ］高い値を第２閾値として設定する。
【００８７】
そして、セル選択数設定部７０１は、ＨＳＤＰＡノンサービングセルの値のうち、上記の方法により設定した第１閾値を超えている値のセルを、与干渉セルの候補とする。また、セル選択数設定部７０１は、第１閾値を超える値のセルが所定数ｎ（ｎは、任意の自然数）に満たない場合、第１閾値を超える値のセルを除いたセルのうち、第２閾値を超える値のセルの上位の所定数ｍ（ｍは、任意の自然数）のセルを与干渉セルの候補とする。上記により得られた与干渉セルの候補数（最大（ｎ＋ｍ）個のセル）と、干渉除去受信処理部１０７の干渉除去方式の除去可能な与干渉セル数とを比較し、小さいほうを与干渉セル候補数として設定する。
【００８８】
本実施の形態では、ＨＳＤＰＡサービングセルの値を超えるセル、またはＨＳＤＰＡサービングセルの値に近い値のセルをまず選択し、さらにＨＳＤＰＡノンサービングセルのなかから大きな値のセルを与干渉セルとして選択することができる。また、ＨＳＤＰＡサービングセルの値に比べて値が充分小さなセルや、他のセルと比較して値の大きなセルがない場合は、与干渉セルとして選択しないようにする。
【００８９】
このように、本実施の形態によれば、上記の実施の形態３の効果に加えて、選択する与干渉セルの選択数を可変にすることにより、干渉除去の性能劣化を防ぐことができ、さらなる受信品質の向上を図ることができる。
【００９０】
なお、本実施の形態において、遅延スプレッドの推定値、受信電力の測定値及びトラヒックの推定結果の３種類のパラメータを同時に用いて与干渉セルを選択するが、本発明はこれに限らず、通信装置の構成または消費電流に応じて、上記の３種類のパラメータを選択してもよい。すなわち、遅延スプレッドの推定値及びトラヒックの推定結果の２種類を用いてもよいし、トラヒックの推定結果のみを用いてもよい。
【産業上の利用可能性】
【００９１】
本発明にかかる通信装置及び復調方法は、例えばＨＳＤＰＡ方式の通信を行う際に干渉セルの干渉信号を除去するのに好適である。
【符号の説明】
【００９２】
１００  通信装置
１０１  アンテナ
１０２  ＲＦ処理部
１０３  セルサーチ処理部
１０４  ＨＳＤＰＡサービングセル受信制御部
１０５  パスサーチ処理部
１０６  与干渉セル選択処理部
１０７  干渉除去受信処理部
１０８  復調処理部
【図１】
2011259302.tif 000006
【図２】
2011259302.tif 000007
【図３】
2011259302.tif 000008
【図４】
2011259302.tif 000009
【図５】
2011259302.tif 000010
【図６】
2011259302.tif 000011
【図７】
2011259302.tif 000012